(57)【特許請求の範囲】
【請求項１】
電源コンセントに接続するための電源プラグが取り付けられた電源ケーブルと、前記電源ケーブルを巻き取るためのドラムと、前記ドラムに設けられ、負荷電気機器のプラグを接続するための負荷用コンセントと、前記ドラムに内蔵され、前記電源ケーブルと前記負荷用コンセントとの間に接続された漏電遮断器とを備えた電工ドラムの前記漏電遮断器を試験する方法であって、
前記漏電遮断器の電源側の一対の端子に夫々接続されるべき第１及び第２の電源側測定端子と、前記漏電遮断器の負荷側の、前記第２の電源側測定端子と同じ側の端子に接続されるべき負荷側測定端子とを備えた漏電遮断器テスタを用いて、
前記漏電遮断器テスタの前記第１及び第２の電源側測定端子を、電源が供給されていない状態の２口以上の差込口を有する電源コンセントの何れかの差込口に接続すると共に、前記電工ドラムの電源プラグを前記電源が供給されていない状態の電源コンセントの他の差込口に接続する第１工程と、
前記負荷側測定端子を、前記電工ドラムの負荷用コンセントの一方の電極に接続する第２工程と、
前記第２の電源側測定端子と前記負荷側測定端子とが導通していることを直接的又は間接的に確認する第３工程と、
前記第２の電源側測定端子と前記負荷側測定端子とが導通していることが確認できれば、前記電源コンセントに電源を供給する第４工程と、
前記漏電遮断器テスタにより前記漏電遮断器の試験を行う第５工程と、を行うことを特徴とする電工ドラムに内蔵された漏電遮断器の試験方法。
【請求項２】
前記第１工程では、前記電源コンセントとして、２口以上の差込口を有するタップを用い、前記第４工程では、前記タップを電源が供給されたコンセントに差し込むことにより前記タップに電源を供給することを特徴とする請求項１記載の電工ドラムに内蔵された漏電遮断器の試験方法。
【請求項３】
前記第１工程では、一端にプラグが接続され、他端が前記第１及び第２の電源側測定端子に接続される測定用ケーブルの前記プラグを前記電源コンセントに差し込むことを特徴とする請求項１又は２記載の電工ドラムに内蔵された漏電遮断器の試験方法。
【請求項４】
電源コンセントに接続するための電源プラグが取り付けられた電源ケーブルと、前記電源ケーブルを巻き取るためのドラムと、前記ドラムに設けられ、負荷電気機器のプラグを接続するための負荷用コンセントと、前記ドラムに内蔵され、前記電源ケーブルと前記負荷用コンセントとの間に接続された漏電遮断器とを備えた電工ドラムの前記漏電遮断器を試験するための装置であって、
前記漏電遮断器の電源側の一対の端子に夫々接続されるべき第１及び第２の電源側測定端子と、前記漏電遮断器の負荷側の、前記第２の電源側測定端子と同じ側の電極に接続されるべき負荷側測定端子とを備えた漏電遮断器テスタと、
前記電工ドラムの電源プラグが差し込まれる電工ドラム用コンセントと、
前記負荷側測定端子に接続されるべき負荷側端子と、
前記電工ドラム用コンセントへの電源供給のオンオフを切り替える電源開閉器と、
前記漏電遮断器テスタの前記第２の電源側測定端子と前記負荷側測定端子との導通の有無を判定し、導通している場合に、前記電源開閉器に閉じ指令を出して前記電工ドラム用コンセントへ電源を供給させると共に、前記漏電遮断器テスタへ測定開始指令を出す制御部と、を備えることを特徴とする電工ドラムに内蔵された漏電遮断器の試験装置。
【請求項５】
前記制御部が、前記第２の電源側測定端子と前記負荷側測定端子とが導通していないと判定した場合に、所定のアラームを出力するアラーム手段を備えることを特徴とする請求項４記載の電工ドラムに内蔵された漏電遮断器の試験装置。
【発明の詳細な説明】
【技術分野】
【０００１】
この発明は、電工ドラムに内蔵された漏電遮断器を試験する方法および装置に関するものである。
【背景技術】
【０００２】
一般に、所定の環境下で使用される電気機器には漏電遮断器を設けることが省令（労働安全衛生規則―第五章「電気による危険の防止」−第一節「電気機械器具」−第三百三十三条「漏電による感電の防止」）により義務づけられている。また、省令で義務付けられていなくても、各企業あるいは企業内の各部門が独自の判断により漏電遮断器の使用を義務づけていることがある。
【０００３】
このような漏電遮断器は漏電時に確実に動作できるよう、定期的に動作試験を行う必要があり、各種の漏電遮断器テスタが市販されている（例えば非特許文献１を参照。また、漏電遮断器については例えば特開２００５−２６１０５号公報を参照）。
【０００４】
図５は、漏電遮断器テスタ１０を用いて漏電遮断器２０を試験する方法を示す概略図である。同図に示すように、漏電遮断器テスタ１０は、第１電源側測定端子１０１、第２電源側測定端子１０２、及び負荷側測定端子１０３を備えている。そして、先端に電源側プローブ１２１，１２２が取り付けられた電源側測定ケーブル１２を第１電源側測定端子１０１及び第２電源側測定端子１０２に接続し、電源側プローブ１２１，１２２を、夫々、漏電遮断器２０の電源側端子２０１，２０２に接続する。また、先端に負荷側プローブ１４１が取り付けられた負荷側測定ケーブル１４を負荷側測定端子１０３に接続し、負荷側プローブ１４１を漏電遮断器２０の負荷側端子２０３，２０４のうち、第２電源側測定端子１０２に接続される電源側端子２０２と同じ側の負荷側端子２０４へ接続する。
【非特許文献１】”発電機内蔵漏洩遮断器用テスタLT-2”、［online］、テンパール工業株式会社、［平成１７年６月２７日検索］、＜URL: http://www.tempearl.co.jp/prod2/lt2.htm＞
【特許文献１】特開２００５−２６１０５号公報
【発明の開示】
【発明が解決しようとする課題】
【０００５】
ところで、長い電源ケーブルをドラムに巻き取るようにしたドラム式コードリール（電工ドラム）は電気機器の一種であり、漏電遮断器付きの電工ドラムが使用されることが多い。このような漏電遮断器付き電工ドラムでは、漏電遮断器がコードを巻き取るドラムに内蔵されている。このため、図１のようにして漏電遮断器２０を漏電遮断器用テスタで試験するには、ドラムのカバーを外し漏電遮断器２０を露出させたうえで、各プローブ１２１，１２２、１４１を接続しなければならない。かかるカバー取り外し作業のために漏電遮断器の試験に多大な手間がかかるうえ、試験の際にドラム内部の充電部分が剥き出しになるため安全上の問題もある。さらに、ドラム内の配線の余長が少ないので、ドラムのカバーを取り外した際に配線が引っ張られて荷重がかかり、配線が損傷するおそれがあることから、試験作業者は細心の注意を払わなければならないという問題もある。
【０００６】
本発明は上記の点に鑑みてなされたものであり、電工ドラムに内蔵された漏電遮断器の試験を、漏電遮断器テスタを用いて簡便かつ安全に行えるようにすることを目的とする。
【課題を解決するための手段】
【０００７】
上記の目的を達成するため、本発明は、電源コンセントに接続するための電源プラグが取り付けられた電源ケーブルと、前記電源ケーブルを巻き取るためのドラムと、前記ドラムに設けられ、負荷電気機器のプラグを接続するための負荷用コンセントと、前記ドラムに内蔵され、前記電源ケーブルと前記負荷用コンセントとの間に接続された漏電遮断器とを備えた電工ドラムの前記漏電遮断器を試験する方法であって、
前記漏電遮断器の電源側の一対の端子に夫々接続されるべき第１及び第２の電源側測定端子と、前記漏電遮断器の負荷側の、前記第２の電源側測定端子と同じ側の端子に接続されるべき負荷側測定端子とを備えた漏電遮断器テスタを用いて、
前記漏電遮断器テスタの前記第１及び第２の電源側測定端子を、電源が供給されていない状態の２口以上の差込口を有する電源コンセントの何れかの差込口に接続すると共に、前記電工ドラムの電源プラグを前記電源が供給されていない状態の電源コンセントの他の差込口に接続する第１工程と、
前記負荷側測定端子を、前記電工ドラムの負荷用コンセントの一方の電極に接続する第２工程と、
前記第２の電源側測定端子と前記負荷側測定端子とが導通していることを直接的又は間接的に確認する第３工程と、
前記第２の電源側測定端子と前記負荷側測定端子とが導通していることが確認できれば、前記電源コンセントに電源を供給する第４工程と、
前記漏電遮断器テスタにより前記漏電遮断器の試験を行う第５工程と、を行うことを特徴とする。
【０００８】
この試験方法において、前記第１工程では、前記電源コンセントとして、２口以上の差込口を有するタップを用い、前記第４工程では、前記タップを電源が供給されたコンセントに差し込むことにより前記タップに電源を供給することとしてもよい。
【０００９】
また、前記第１工程では、一端にプラグが接続され、他端が前記第１及び第２の電源側測定端子に接続される測定用ケーブルの前記プラグを前記電源コンセントに差し込むこととしてもよい。
【００１０】
また、本発明は、電源コンセントに接続するための電源プラグが取り付けられた電源ケーブルと、前記電源ケーブルを巻き取るためのドラムと、前記ドラムに設けられ、負荷電気機器のプラグを接続するための負荷用コンセントと、前記ドラムに内蔵され、前記電源ケーブルと前記負荷用コンセントとの間に接続された漏電遮断器とを備えた電工ドラムの前記漏電遮断器を試験するための装置であって、
前記漏電遮断器の電源側の一対の端子に夫々接続されるべき第１及び第２の電源側測定端子と、前記漏電遮断器の負荷側の、前記第２の電源側測定端子と同じ側の電極に接続されるべき負荷側測定端子とを備えた漏電遮断器テスタと、
前記電工ドラムの電源プラグが差し込まれる電工ドラム用コンセントと、
前記負荷側測定端子に接続されるべき負荷側端子と、
前記電工ドラム用コンセントへの電源供給のオンオフを切り替える電源開閉器と、
前記漏電遮断器テスタの前記第２の電源側測定端子と前記負荷側測定端子との導通の有無を判定し、導通している場合に、前記電源開閉器に閉じ指令を出して前記電工ドラム用コンセントへ電源を供給させると共に、前記漏電遮断器テスタへ測定開始指令を出す制御部と、を備えることを特徴とする。
【００１１】
また、上記試験装置において、前記制御部が、前記第２の電源側測定端子と前記負荷側測定端子とが導通していないと判定した場合に、所定のアラームを出力するアラーム手段を備えることを特徴とする請求項４記載の電工ドラムに内蔵された漏電遮断器の試験装置。
【発明の効果】
【００１２】
本発明によれば、電工ドラムに内蔵された漏電遮断器の試験を、漏電遮断器テスタを用いて簡便かつ安全に行うことができる。
【発明を実施するための最良の形態】
【００１３】
図１は、本発明の一実施形態である漏電遮断器の試験方法を説明するための概略構成図であり、漏電遮断器テスタ１０を用いて、電工ドラム３０に内蔵された漏電遮断器２０の動作試験を行う様子を示している。また、図２は、電工ドラム３０の内部結線図である。なお、図１及び図２において、上記図５に示す従来の方法の構成と同一の構成部分には同一の符号を付している。
【００１４】
上記したように、漏電遮断器テスタ１０を用いて電工ドラム３０に内蔵された漏電遮断器２０を試験する場合、プローブ１２１，１２２，１４１を漏電遮断器２０の端子に接続する必要があるため、従来の試験方法では電工ドラム３０のドラムカバーを取り外すのに手間がかかり、また、試験時に充電部が剥き出しになるなどの問題がある。これに対して、本実施形態では、以下に詳細に説明するように、電工ドラム３０のドラムカバーを取り外すことなく、内蔵された漏電遮断器２０の試験を行うことができるようにしている。
【００１５】
先ず、図１及び図２を参照して、電工ドラム３０の構成について説明する。これらの図面に示すように、電工ドラム３０は、電源コンセントに接続するための電源プラグ３０１が一端に取り付けられた長い電源ケーブル３０２と、電源ケーブル３０２を巻き取るためのドラム３０３と、ドラム３０３の側面に設けられ、負荷機器のプラグを接続するための負荷用コンセント３０４と、電源ケーブル３０２と負荷用コンセント３０４との間に接続され、前記ドラムの内部に配設された漏電遮断器２０と、漏電遮断器２０をオンオフするための漏電遮断器スイッチ３０５とを備えている。なお、図１に示すように負荷用コンセント３０４は複数個設けられるが、図２ではそのうち１つの負荷用コンセント３０４のみを示している。
【００１６】
図２に示すように、電源ケーブル３０２の２本の導線は、夫々、漏電遮断器２０の電源側端子２０１，２０２に接続されている。また、各負荷用コンセント３０４の電極３０４ａ、３０４ｂは、夫々、漏電遮断器２０の負荷側端子２０３，２０４に接続されている。
【００１７】
次に、本実施形態における漏電遮断器２０の試験方法について説明する。  
図１に示すように、本実施形態では、２又またはそれ以上の電源タップ（同図の例では３又タップ）４０と、一端に電源プラグ５２が接続された電源側測定ケーブル５０とを用いて試験を行う。先ず、３又タップ４０を電源コンセントに接続しない状態（つまり、３又タップ４０に電源を供給しない状態）で、電源側測定ケーブル５０の電源プラグ５２と、電工ドラム３０の電源プラグ３０１とを３又タップ４０の差込口に差し込む。また、漏電遮断器テスタ１０の負荷側プローブ１４１を、電工ドラム３０の何れかの負荷用コンセント３０４の一方の電極３０４ａ又は３０４ｂに接続する。
【００１８】
なお、電源側測定ケーブル５０として、漏電遮断器テスタ１０に付属の電源側測定ケーブル１２（図５）を流用し、この電源側測定ケーブル１２のクリップと、一端に電源プラグが取り付けられた電源ケーブルの他端側を接続し、この接続部分を絶縁養生したものを用いてもよい。
【００１９】
図２に示す電工ドラム３０の結線図から分かるように、電工ドラム３０の電源プラグ３０１は、電源ケーブル３０２を介して、漏電遮断器２０の電源側端子２０１，２０２に接続され、また、負荷用コンセント３０４は、漏電遮断器２０の負荷側端子２０３，２０４に接続されている。さらに、３又タップ４０の複数の差込口の同じ側の電極どうしは内部で互いに接続されている。したがって、図１に示すように接続すると、第１電源側測定端子１０１及び第２電源側測定端子１０２は、電源側測定ケーブル５０、３又タップ４０、及び電工ドラム３０の電源ケーブル３０２を介して、漏電遮断器２０の電源側端子２０１，２０２に接続され、また、負荷側測定端子１０３は、負荷側測定ケーブル１４及び電工ドラム３０の負荷用コンセント３０４を介して、漏電遮断器２０の負荷側端子２０３又は２０４に接続される。
【００２０】
ここで、上記図５を参照して説明したように、漏電遮断器テスタ１０の負荷側プローブ１４１は、漏電遮断器２０の負荷側端子２０３，２０４のうち、第２電源側測定端子１０２に接続される電源側端子２０２と同じ側の負荷側端子２０４に接続しなければならない。したがって、図１においても、負荷側プローブ１４１が負荷側端子２０４に接続されていることを確認する必要がある。そこで、本実施形態では、電源側測定ケーブル５０の電源プラグ５２と、電工ドラム３０の電源プラグ３０１とを３又タップ４０の差込口に差し込むと共に、漏電遮断器スイッチ３０５をオンにした状態で、漏電遮断器２０の第２電源側測定端子１０２と、電工ドラム３０の負荷用コンセント３０４の差込口の電極３０４ａ，３０４ｂの夫々との導通の有無を導通テスタで確認して、導通がある側の電極３０４ａ又は３０４ｂに負荷側プローブ１４１を接続するものとする。なお、導通の確認の仕方はこれに限らず、例えば、電源側測定ケーブル５０の電源プラグ５２の２つの電極のうち、第２電源側測定端子１０２に接続される電極の側に所定のマーク（例えば図１に示す三角マーク５２ａ）を付しておき、負荷用コンセント３０４に負荷側プローブ１４１を接続した状態で、３又タップ４０の空いている差込口の電極のうち、電源プラグ５２の三角マーク５２ａが付された側の電極が差し込まれた側の電極（図１に示す電極４０ａ）と、負荷側プローブ１４１又は第２電源側測定端子１０２との導通を確認し、あるいは、第２電源側測定端子１０２と負荷側測定端子１０３との導通を直接確認して、導通がなければ負荷側プローブ１４１を反対側に付け替えることとしてもよい。要するに、第２電源側測定端子１０２と負荷側測定端子１０３とが導通していることを直接的又は間接的に確認できればよい。
【００２１】
以上のように第２電源側測定端子１０２と負荷側測定端子１０３との導通が確認できると、図５と等価な接続状態が得られる。したがって、この状態で、３又タップ４０を電源コンセントに差し込むことにより、漏電遮断器テスタ１０を用いて漏電遮断器２０の試験を行うことができる。
【００２２】
以上説明したとおり、本実施形態によれば、電工ドラム３０に内蔵された漏電遮断器２０の試験を、漏電遮断器テスタ１０により、電工ドラム３０のドラム３０３のカバーを取り外すことなく簡単な作業で行うことができる。また、電工ドラム３０のカバーを取り外すことが不要なため、充電部が剥き出しになることがなく、試験作業の安全性も向上する。
【００２３】
図３は、上記の試験方法を自動的に実行するための試験装置７０の構成図である。なお、図３において、上記各図面と同一の部分には同一の符号を付している。同図に示すように、試験装置７０は、漏電遮断器テスタ１０と、制御部７２と、電源開閉部７４と、内部電源７６と、商用電源コンセント９０に差し込まれる電源プラグ８０が取り付けられた電源コード７８と、負荷側測定ケーブル１４が接続される負荷側端子８２と、電工ドラム３０の電源プラグ３０１が差し込まれる電工ドラム用コンセント８４と、測定開始スイッチ８６と、アラームランプ８８とを備えている。
【００２４】
電源開閉部７４は、電源コード７８と、電工ドラム用コンセント８４との間に設けられており、制御部７２からの指令に応じて開閉し、電工ドラム用コンセント８４への電源電圧の供給をオン／オフする。また、漏電遮断器テスタ１０の第１電源側測定端子１０１は、電工ドラム用コンセント８４の一方の電極８４ａに接続され、第２電源側測定端子１０２は、制御部７２を介して電工ドラム用コンセント８４の他方の電極８４ｂに接続されている。さらに、漏電遮断器テスタ１０の負荷側測定端子１０３は、制御部７２に接続されていると共に、負荷側端子８２にも接続されている。なお、内部電源７６は電源コード７８に接続されており、電源コード７８から供給される電源を元に漏電遮断器テスタ１０及び制御部７２の電源を供給する。
【００２５】
以下、図４のフローチャートを参照して、試験装置７０の動作を説明する。なお、図３に示すように、電工ドラム３０の電源プラグ３０１を試験装置７０の電工ドラム用コンセント８４に差し込み、また、負荷側プローブ１４１を、電工ドラム３０の負荷用コンセント３０４の何れかの電極に接続しておき、さらに、漏電遮断器スイッチ３０５をオンしておくものとする。また、電源開閉部７４は常態では開状態である。
【００２６】
先ず、測定開始スイッチ８６がオンされると（Ｓ１００）、制御部７２は、第２電源側測定端子１０２と負荷側測定端子１０３とが導通しているか否かを判定する（Ｓ１０２）。その結果、導通していなければ、アラームランプ８８を点灯させて、負荷側プローブ１４１の接続箇所が正しくない旨を警報する（Ｓ１０４）。この場合、測定担当者は、負荷側プローブ１４１を負荷用コンセント３０４の反対側の電極につなぎ直して（Ｓ１０６）、再度、Ｓ１００に戻る。一方、第２電源側測定端子１０２と負荷側測定端子１０３とが導通していれば、制御部７２は電源開閉部７４に閉じ指令を出力する（Ｓ１０８）。これに応じて電源開閉部７４が閉じ、商用電源コンセント９０の電源が電工ドラム用コンセント８４に供給される。制御部７２は、電工ドラム用コンセント８４に電源が供給されたことを検知すると（Ｓ１１０）、漏電遮断器テスタ１０に対して測定開始指令を出す（Ｓ１１２）。これに応じて、漏電遮断器テスタ１０は、電工ドラム３０に内蔵された漏電遮断器２０の試験を実行する（Ｓ１１４）。
【００２７】
このように、試験装置７０によれば、第２電源側測定端子１０２と負荷側測定端子１０３との導通のチェック、導通が確認できた場合の電源電圧の供給、及び、漏電遮断器テスタ１０による漏電遮断器の試験の一連の処理を自動的に行うので、電工ドラム３０に内蔵された漏電遮断器の試験を効率的に行うことができ、また、負荷側測定端子１０３の接続箇所を誤ったまま測定を行ってしまうのを確実に防止できる。
【図面の簡単な説明】
【００２８】
【図１】本発明の一実施形態である漏電遮断器の試験方法を説明するための概略構成図である。
【図２】電工ドラムの内部結線図である。
【図３】本実施形態の試験方法を自動的に実行するための試験装置の構成図である。
【図４】図３に示す試験装置の動作を示すフローチャートである。
【図５】漏電遮断器テスタを用いて漏電遮断器を試験する従前の方法を示す概略図である。
【符号の説明】
【００２９】
１０  漏電遮断器テスタ                  １０１  第１電源側測定端子
１０２  第２電源側測定端子              １０３  負荷側測定端子
１２  電源側測定ケーブル                １２１，１２２  電源側プローブ
１４  負荷側測定ケーブル                １４１  負荷側プローブ
２０  漏電遮断器                        ３０  電工ドラム
２０１，２０２  電源側端子              ２０３，２０４  負荷側端子
３０１  電源プラグ                      ３０２  電源ケーブル
３０３  ドラム                          ３０４  負荷用コンセント
４０  ３又タップ                        ５０  電源側測定ケーブル
５２  電源プラグ                        ７０  試験装置
７２  制御部                            ７４  電源開閉部
７６  内部電源                          ７８  電源コード
８０  電源プラグ                        ８２  負荷側端子
８４  電工ドラム用コンセント            ８６  測定開始スイッチ
８８  アラームランプ                    ９０  商用電源コンセント
【図１】
0004540588.tif 000002
【図２】
0004540588.tif 000003
【図３】
0004540588.tif 000004
【図４】
0004540588.tif 000005
【図５】
0004540588.tif 000006